(57)【要約】【課題】コストの上昇や重量の嵩みを抑制しつつ装飾性に優れた髪ケア装置を得る。【解決手段】ハウジング３の一部となるイオン発生部８を覆う部分を、裏側に装飾部２１を設けた透明または半透明の装飾ケース２０で構成し、装飾部２１を装飾ケース２０の肉厚変化で形出されるダイヤモンドカット状の多面体形状とした。【選択図】図４
2012010864.tif 000002
【特許請求の範囲】
【請求項１】
空気吸込口と空気吹出口とが設けられた風洞部を内部に有するハウジングと、前記空気吸込口から吸い込んだ空気を前記空気吹出口から吐出させる送風部と、を備える髪ケア装置であって、
前記ハウジングの少なくとも一部に、透明または半透明の光透過部が形成されるとともに、当該光透過部の裏面に装飾部が設けられており、
前記装飾部が複数の面の集合体で形成されていることを特徴とする髪ケア装置。
【請求項２】
前記装飾部の複数の面の集合体は、前記光透過部の肉厚変化によって形成されていることを特徴とする請求項１に記載の髪ケア装置。
【請求項３】
前記装飾部は、不透明の材料を含んでいることを特徴とする請求項１または請求項２に記載の髪ケア装置。
【請求項４】
前記髪ケア装置は、イオンを発生させて放出するイオン発生部を備えるとともに、このイオン発生部は、イオン発生部カバーを有しており、
前記イオン発生部カバーが、前記光透過部の内側に配置された状態で、前記ハウジングの前記光透過部が形成されていない部位に係合して保持されていることを特徴とする請求項１〜３のうちいずれか１項に記載の髪ケア装置。
【請求項５】
前記光透過部の内側に前記イオン発生部カバーが一体成形されていることを特徴とする請求項４に記載の髪ケア装置。
【請求項６】
前記光透過部の外側に、透明または半透明の第２の光透過部が形成されていることを特徴とする請求項１〜５のうちいずれか１項に記載の髪ケア装置。
【発明の詳細な説明】
【技術分野】
【０００１】
本発明は、髪ケア装置に関する。
【背景技術】
【０００２】
従来、髪ケア装置として、少なくとも一部を透視可能にした本体ケースの内面に、絵柄や図柄などの模様が施された装飾体を差し込むようにしたものが知られている（例えば、特許文献１参照）。
【先行技術文献】
【特許文献】
【０００３】
【特許文献１】特許第３１６０６５４号公報
【発明の概要】
【発明が解決しようとする課題】
【０００４】
しかしながら、上記従来の技術では、装飾を施した装飾体を別途形成し、本体ケースの内側に挿入して取り付ける必要があるため、コストアップや重量増が来されてしまうという問題があった。
【０００５】
そこで、本発明は、コストの上昇や重量の嵩みを抑制しつつ装飾性に優れた髪ケア装置を得ることを目的とする。
【課題を解決するための手段】
【０００６】
本発明にあっては、空気吸込口と空気吹出口とが設けられた風洞部を内部に有するハウジングと、前記空気吸込口から吸い込んだ空気を前記空気吹出口から吐出させる送風部と、を備える髪ケア装置であって、前記ハウジングの少なくとも一部に、透明または半透明の光透過部が形成されるとともに、当該光透過部の裏面に装飾部が設けられており、前記装飾部が複数の面の集合体で形成されていることを主要な特徴とする。
【発明の効果】
【０００７】
本発明によれば、ハウジングの少なくとも一部に、透明または半透明の光透過部を形成するとともに、当該光透過部の裏面に、複数の面の集合体で形成された装飾部を設けている。そのため、ハウジングの外側から光透過部を見ると、複数の面の集合体に光が反射することで生じる陰影が醸し出され、デザイン性に優れた髪ケア装置を得ることができる。そして、この装飾部を光透過部の裏面に設けることで、コストの上昇や重量の嵩みを抑制することができる。このように、本発明によれば、コストの上昇や重量の嵩みを抑制しつつ装飾性に優れた髪ケア装置を得ることができる。
【図面の簡単な説明】
【０００８】
【図１】図１は、本発明の第１実施形態にかかるヘアドライヤーの側面図である。
【図２】図２は、図１に示すヘアドライヤーの背面図である。
【図３】図３は、図１に示すヘアドライヤーの平面図である。
【図４】図４は、図３中Ａ−Ａ線に沿った断面図である。
【図５】図５は、図１に示すヘアドライヤーの空気吸込口に取り付けられる保護枠本体とメッシュ状フィルタと保護枠副体とを並べた斜視図である。
【図６】図６は、図１に示すヘアドライヤーに設けられるイオン発生部のイオン発生部カバーと装飾ケースとの関係を示す断面図である。
【図７】図７は、図３中Ｂ−Ｂ線に沿った断面図である。
【図８】図８は、図７中Ｃ部の拡大断面図である。
【図９】図９は、図４中Ｄ−Ｄ線に沿った断面図である。
【図１０】図１０は、図４中Ｅ−Ｅ線に沿った断面図である。
【図１１】図１１は、図３中Ｆ−Ｆ線に沿った断面図である。
【図１２】図１２は、図１１中Ｇ部の拡大断面図である。
【図１３】図１３は、図３中Ｈ−Ｈ線に沿った断面図である。
【図１４】図１４は、図１３中Ｉ部拡大断面図である。
【図１５】図１５は、図４中Ｊ部の拡大断面図である。
【図１６】図１６は、本発明の第１実施形態の第１変形例を示す装飾ケースを内側から見た底面図である。
【図１７】図１７は、図１６中Ｋ−Ｋ線に沿った断面図である。
【図１８】図１８は、本発明の第１実施形態の第２変形例を示す装飾ケースの側面図である。
【図１９】図１９は、図１８に示す装飾ケースを後方から見た背面図である。
【図２０】図２０は、図１８に示す装飾ケースを前方から見た正面図である。
【図２１】図２１は、本発明の第２実施形態にかかるブラシ付きヘアドライヤーの本体部分を示す平面図である。
【図２２】図２２は、図２１中Ｌ−Ｌ線に沿った断面図である。
【図２３】図２３は、図２１に示すヘアドライヤーの空気吸込口に取り付けられる保護枠本体とメッシュ状フィルタと保護枠副体とを並べた側面図である。
【発明を実施するための形態】
【０００９】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１０】
（第１実施形態）
本実施形態では髪ケア装置としてヘアドライヤーを例示する。なお、図１中、Ｆｒは前方、Ｕｐは上方を示している。
【００１１】
本実施形態にかかるヘアドライヤー（髪ケア装置）１は、図１から図４に示すように、温風・冷風により髪ケア機能を発揮する風洞部２を有するハウジング３と、そのハウジング３の後端部下側から突設したグリップ取付部３１に連結部４を介して折り畳み自在に連結されたグリップ部５と、を備えている。なお、ハウジング３は、左右に分割されたハウジングパーツを組み合わせて結合することにより形成されている。
【００１２】
風洞部２は、後端部（図１中右側）に空気吸込口２ａと、前端部（図１中左側）に空気吹出口２ｂとが設けられており、風洞部２の内部には送風部６およびヒータ（図示せず）が後方から前方に向かって直列に配置されている。また、風洞部２は、ハウジング３の内面との間に筒状の空気流路を確保した状態でハウジング３にセットされており、これら風洞部２とハウジング３とが一体となっている。そして、風洞部２の先端には、ノズル７を接続する接続部９が取り付けられている。なお、本実施形態では、空気吹出口２ｂは風洞部２の前端部に取り付けられたノズル７の先端となっているが、このノズル７を取り外した場合には風洞部２の先端（接続部９の先端）が空気吹出口２ｂとなる。
【００１３】
送風部６は、ファン６１、このファン６１を回転するモータ６２、およびモータ６２を風洞部２の内側に支持して通過空気の整流機能を有する整流脚６３などによって構成されている。そして、ファン６１がモータ６２によって回転駆動することで風洞部２内に空気流を発生させ、空気吸込口２ａから吸い込んだ空気を空気吹出口２ｂから吹き出すようにしている。このとき、ヒータに通電して加熱すれば、空気吹出口２ｂからの送風を温風にすることができる。
【００１４】
また、風洞部２の上部には、マイナスイオン（イオン）を発生させて放出するイオン発生部８が設けられている。このイオン発生部８は、マイナスイオンを発生させるイオン発生ブロック８１を備えており、グリップ取付部３１内に配置した高電圧発生部８２で発生させた高電圧をイオン発生部８に印加してコロナ放電させることでマイナスイオンを発生させている。
【００１５】
イオン発生部８は、風洞部２の上側を切欠いた開口部２Ｋから風洞部２内を流れる空気の一部を導入し、その導入した空気ととともに発生したマイナスイオンをイオン放出口８３から前方に放出するようになっている。このように、イオン放出口８３から放出させたマイナスイオンを毛髪にあてることで、毛髪にツヤやしっとり感を与えるとともに、毛髪のクセ取りを行うことができる。
【００１６】
本実施形態では、イオン発生部８は、イオン発生ブロック８１を保持する（図９参照）とともに、風洞部２から空気を導入する空気導入路８４およびイオン放出路８３を形成するイオン発生部カバー８５を備えている。このイオン発生部カバー８５は、合成樹脂材料によって成形されている。
【００１７】
グリップ部５の前側中央部には、上下複数段に切り換え自在なスイッチＳＷが設けられており、このスイッチＳＷによってモータ６２およびヒータのオン・オフおよび風量調節などが行われる。また、グリップ部５の下端には電源に繋げるコードＣが取り付けられている。
【００１８】
図４および図５に示すように、空気吸込口２ａには、空気吸込口２ａの開口領域を細分化する複数の開口部１０ａを有する保護枠本体１０が取り付けられており、この保護枠本体１０によって比較的大きな異物が誤って空洞部２内に入り込まないようにしている。
【００１９】
保護枠本体１０は、図５に示すように、空気吸込口２ａのほぼ中心を中心として同心円状に配置される複数の環状枠部１０ｂと、それぞれの環状枠部１０ｂと交差して空気吸込口２ａのほぼ中心から放射状に延びる複数の直線状枠部１０ｃとが設けられている。そして、それら環状枠部１０ｂと直線状枠部１０ｃとによって開口部１０ａが画成されている。
【００２０】
このとき、直線状枠部１０ｃは、複数の環状枠部１０ｂのうち最も内周側となる環状枠部１０ｂＡの内側に位置する内側直線部分１０ｃＡと、その環状枠部１０ｂＡの外側に位置する外側直線部分１０ｃＢとが、径方向となる一直線方向に対して相互にずらされている。
【００２１】
このように内側直線部分１０ｃＡと外側直線部分１０ｃＢとを相互にずらすことにより、中心部交点にエッジが立たないため金型の強度を確保することができるとともに、最も内周側となる環状枠部１０ｂＡ内にもメッシュ状フィルタ１１を配置することができる。
【００２２】
保護枠本体１０のさらに外側には、図５に示すように、保護枠本体１０の開口部１０ａをさらに細分化するメッシュ状フィルタ１１が配置されている。メッシュ状フィルタ１１は、ゴミや埃および毛髪などの比較的小さな異物が空洞部２内に入り込むのを抑える機能を有している。
【００２３】
この場合、メッシュ状フィルタ１１は、金属メッシュもしくはポリエステルなどの難燃性樹脂からなるメッシュで形成し、その開口率が５０〜９０パーセント（好ましくは５０〜７５パーセント）で３００〜６５０μｍという目の細かい網目幅のものが好ましい。このように細かい網目幅のメッシュ状フィルタ１１を用いることにより、細かい埃や毛髪などがファン６１やモータ６２およびヒータ部分に侵入するのをより効果的に防ぐことができる。
【００２４】
保護枠主体１０は合成樹脂材料によって成形されており、その厚みは１．５ｍｍ程度が好ましい。また、保護枠主体１０とメッシュ状フィルタ１１とは合成樹脂材料によって一体成形されており、その際、成形する合成樹脂材料の中でも融点の低いＡＢＳを用いることが、成形時のメッシュ状フィルタ１１の劣化を防ぐという点で好ましい。
【００２５】
ところで、保護枠主体１０とメッシュ状フィルタ１１とを熱溶着などで簡単に接合した場合には、掃除を行った際にメッシュ状フィルタ１１が剥離し易くなるが、保護枠主体１０とメッシュ状フィルタ１１とを一体成形すれば、メッシュ状フィルタ１１が保護枠主体１０から剥離してしまうのを抑制することができる。このように、保護枠主体１０とメッシュ状フィルタ１１とを一体成形することで、掃除を行った際にメッシュ状フィルタ１１の剥離をより確実に防ぐことができるようになる。また、保護枠主体１０とメッシュ状フィルタ１１とを一体成形することで、両者の一体感をより高めて外観上の見栄えをさらに良くすることができる。
【００２６】
また、保護枠主体１０の直線状枠部１０ｃは、本実施形態では主枠となる第１枠１０ｃ１と、副枠となる第２枠１０ｃ２および第３枠１０ｃ３とが設けられている。そして、第１枠１０ｃ１の幅は２ｍｍ程度、第２枠１０ｃ２および第３枠１０ｃ３の幅は１．５ｍｍ程度とするのが好ましい。このとき、主枠となって幅が最も大きな第１枠１０ｃ１の本数は、共鳴による騒音の問題を踏まえて送風部６の整流脚６３の本数とファン６１の枚数と異ならせるのが好ましい。本実施形態では、図２および図７に示すように、整流脚６３を７本、ファン６１を６枚とし、第１枠１０ｃ１を８本としている。
【００２７】
さらに、第１枠１０ｃ１の中間に第２枠１０ｃ２を配置することにより保護枠本体１０の強度をより増大することができる。第３枠１０ｃ３は、メッシュ状フィルタ１１と一体成形した際に、メッシュ状フィルタ１１の強度を確保できるようになっている。
【００２８】
なお、環状枠部１０ｂや直線状枠部１０ｃなどの桟の配置数を増加することで空気吸込口２ａの強度が高まり、落下や衝撃による空気吸込口２ａの破損をより低減できる反面、性能面では桟の増加により風量が低下するため、それらの兼ね合いで保護枠主体１０の環状枠部１０ｂや直線状枠部１０ｃの数が決定される。
【００２９】
また、本実施形態では、保護枠主体１０の開口部１０ａの形状は、環状枠部１０ｂおよび直線状枠部１０ｃによってほぼ台形状となっているが、これに限ることなく開口部１０ａの形状が六角形のハニカム構造とすることも可能である。
【００３０】
このように開口部１０ａをハニカム構造とすれば、桟部の強度を一様に保つことができるとともに、開口部１０ａの総面積をより大きくすることができるため、風量をさらに増加させることができる。
【００３１】
また、図５に示すように、メッシュ状フィルタ１１のさらに外側には保護枠副体１２が設けられている。この保護枠副体１２の開口部１２ａは、保護枠本体１０の開口部１０ａに対応するとともに、開口部１０ａの形状とほぼ同形状となっている。つまり、保護枠副体１２には、保護枠本体１０と同様の環状枠部１２ｂおよび直線状枠部１２ｃを備えている。そして、それら保護枠本体１０と保護枠副体１２との開口部１０ａ、１２ａを空気の流入方向に対してほぼ一致させてある。
【００３２】
このように、保護枠主体１０の開口部１０ａと保護枠副体１２の開口部１２ａとを一致させることで、風量が減少するのを抑制しつつ強度を確保することができる。
【００３３】
また、保護枠副体１２は、保護枠本体１０とメッシュ状フィルタ１１と同様に合成樹脂材料で成形されており、これら保護枠本体１０とメッシュ状フィルタ１１と保護枠副体１２とが一体に成形されている。
【００３４】
このように、保護枠副体１２、保護枠本体１０およびメッシュ状フィルタ１１を一体成形することで、メッシュ状フィルタ１１の剥離をより確実に防止できるようになる。また、メッシュ状フィルタ１１の外側を保護枠副体１２で覆うことができるため、擦れなどによるメッシュ状フィルタ１１の破損を抑制することができ、メッシュ状フィルタ１１の耐久性をより一層向上させることができる。
【００３５】
さらに、保護枠副体１２の厚みは保護枠本体１０よりも薄く形成されている。例えば、保護枠主体１０の厚みが１．５ｍｍ程度である場合、保護枠副体１２は０．２ｍｍ程度の厚みに形成するのが好ましい。
【００３６】
このように、保護枠副体１２の厚みを保護枠本体１０よりも薄くすることで、メッシュ状フィルタ１１に埃が付着した場合の掃除がし易くなる。
【００３７】
さらに、本実施形態では、保護枠本体１０は、着脱不可となるようにハウジング３に一体または強固に結合されている。このように、保護枠本体１０を着脱不可とすることで、一体成形されたメッシュ状フィルタ１１および保護枠副体１２もハウジング３に対して着脱不可となる。具体的には、図４に示すように、保護枠本体１０の周縁部に取付用突起１０ｄを複数箇所もしくは全周に形成し、その取付用突起１０ｄをハウジング３の後端部外周に嵌着させる際に、取付用突起１０ｄをハウジング３に接着または圧入させている。こうして、保護枠本体１０の着脱が容易に行われずに通常の操作では着脱不可としている。
【００３８】
このように、保護枠本体１０を着脱不可となるようにハウジング３に一体もしくは強固に結合しておくことで、保護枠体などのフィルタ部材が空気吸込口２ａに着脱自在となっている場合に比べて部品点数を減少させることができ、それによるコストダウン、軽量化およびサイズダウンを図ることができる。例えば、フィルタ部材が空気吸込口２ａに着脱可能となっている場合は、フィルタ部材を取り外した場合に指などが空洞部２内に入らないようにするため、奥側にさらに別のフィルタ部材を設置させる必要がある。このように別のフィルタ部材を設けた場合、フィルタ部材が二重構造となるため、部品点数が増加してしまい、それによるコストアップや重量増およびサイズが大型化してしまうことになる。しかしながら、本実施形態のように保護枠本体１０を着脱不可とすることで、別のフィルタ部材を設置する必要がなくなり、部品点数を減少させることができるため、コストダウン、軽量化およびサイズダウンを図ることができる。
【００３９】
また、保護枠本体１０を着脱不可としておくことで、保護枠本体１０を紛失してしまうおそれがなくなる。
【００４０】
ここで、本実施形態では、ハウジング３の少なくとも一部に、透明または半透明の光透過部を形成している。
【００４１】
具体的には、ハウジング３の少なくとも一部、本実施形態ではハウジング３の上部に設けられたイオン発生部８を覆う部分を、裏側（ハウジング３の中心方向側）に装飾部２１を設けた透明または半透明の装飾ケース（光透過部）２０で構成している。この装飾ケース２０は、透明または半透明の合成樹脂材料によって一体成形されている。
【００４２】
そして、この装飾ケース（光透過部）２０の裏面には、複数の面の集合体で形成された装飾部２１が設けられている。
【００４３】
本実施形態では、装飾ケース２０の裏面に設けられる装飾部２１は、図１０に示すように装飾ケース２０の肉厚変化で形出されるダイヤモンドカット状の多面体形状をしている。
【００４４】
そして、多面体形状の装飾部２１には、メタリック調の光沢を有する塗装（不透明の材料）が施されている。すなわち、装飾部２１は、不透明の材料を含んでいる。なお、装飾部２１は、メタリック調の塗装以外にも金属箔の添着や多様な色による印刷であってもよい。また、装飾ケース２０の外側面にも印刷による装飾が施されるようにしてもよい。
【００４５】
装飾ケース２０は、図７および図８に示すように、前後方向ほぼ中央部の両側に設けた係合片２３を、ハウジング３の内側から突設する爪片３２に係合させることで、ハウジング３に取り付けられている。また、図１５に示すように、装飾ケース２０の後端部に設けた係止片２４を、ハウジング３の内側に位置して風洞部２の外側から突設した係止部２ｃに係合させている。さらに、図１１から図１３に示すように、装飾ケース２０の前端部の両側に設けた爪部２２を接続部９の内側に潜らせることで、装飾ケース２０をハウジング３に取り付けている。このとき、係合片２３、爪部２２および係止片２４を外側から見えない位置でそれぞれ係止させている。
【００４６】
また、装飾ケース２０の内側にはイオン発生部カバー８５が配置されているが、このイオン発生部カバー８５は、装飾ケース２０とは係合しないようになっている。具体的には、図４および図１５に示すように、イオン発生部カバー８５の係合部（図４中右端部）８５ａを、ハウジング３の係合片３３に係合するとともに、図１３および図１４に示すように、イオン発生部カバー８５の前端に形成された係合部８５ｂを、接続部９の内側に潜らせて係止させている。このとき、イオン発生部カバー８５の係合部８５ａ、８５ｂが、透明または半透明の装飾ケース２０を通して外側からは見えない状態となるようにしている。このように、本実施形態では、イオン発生部カバー８５は、装飾ケース（光透過部）２０の内側に配置された状態で、ハウジング３の装飾ケース（光透過部）２０以外の部位、すなわち、光透過部が形成されていない部位に係合して保持されている。
【００４７】
かかる構成のヘアドライヤー１は、スイッチＳＷをＯＮすることでファン６１が回転し、風洞部２内に空気が導入される。そして、空気取込口２ａから導入された空気が空気吹出口２ｂから毛髪に向けて吹き出す。なお、吹き出し風は、ヒータのオン・オフによって温風や冷風に切り換えることができ、毛髪の整髪や乾燥を任意に行うことができる。また、イオン発生部８を作動させることにより、イオン発生部８のイオン放出口８３から毛髪に向かってマイナスイオンを放出でき、毛髪にツヤやしっとり感を与えるとともに、毛髪のクセ取りなどが効果的に行われることになる。
【００４８】
以上説明したように、本実施形態によれば、装飾ケース（ハウジング３の少なくとも一部）２０に、透明または半透明の光透過部を形成するとともに、当該光透過部の裏面に、多面体形状（複数の面の集合体）で形成された装飾部２１を設けている。そのため、そのため、装飾ケース２０を外側から見ると、装飾部２１の多面体形状に光が反射してデザイン性に優れた陰影を発生させることができる。このことは、従来無かった深みのある装飾効果を醸し出すことができ、ヘアドライヤー１の外観性をより向上して商品価値をより高めることができる。また、装飾部２１を装飾ケース２０の裏側に設けることで、部品点数を削減してコストの上昇や重量の嵩みを抑制することができる。このように、本実施形態によれば、コストの上昇や重量の嵩みを抑制しつつ装飾性に優れたヘアドライヤー（髪ケア装置）１を得ることができる。さらに、部品点数を削減することができるため、生産工程の削減を図ることができ、生産能率が低下してしまうのを抑制することもできる。
【００４９】
また、本実施形態では、装飾部２１を装飾ケース２０の肉厚変化による多面体形状としている。そのため、装飾ケース２０の裏面の装飾によって反射した光の陰影が、透明または半透明の装飾ケース２０の肉厚変化に応じて変化する。これにより、さらに深みのあるデザイン性の優れたヘアドライヤー（髪ケア装置）１を得ることができる。
【００５０】
また、装飾部２１がメタリック調の塗装などのように不透明の材料を含んでいるため、透明または半透明の装飾ケース２０の外側から見た場合に、内部の係合部を装飾部２１の不透明部分で隠して見えなくすることができる。これにより、裏面の装飾部２１によって反射した光の陰影が、係合部によって損なわれることがなくなるため、ヘアドライヤー（髪ケア装置）１の外観性を良好にして商品価値をより一層高めることができる。
【００５１】
また、本実施形態では、ヘアドライヤー（髪ケア装置）１は、イオンを発生させて放出するイオン発生部８を備えるとともに、このイオン発生部８は、イオン発生部カバー８５を有しており、イオン発生部カバー８５が、装飾ケース（光透過部）２０の内側に配置された状態で、ハウジング３の装飾ケース（光透過部）２０が形成されていない部位に係合して保持されている。
【００５２】
すなわち、イオン発生部カバー８５を装飾ケース２０の内側に配置した状態で、このイオン発生部カバー８５をハウジング３のみに係合させることで保持している。これにより、イオン発生部カバー８５が装飾ケース２０に係合されることがなくなり、透明または半透明となった装飾ケース２０の外側からイオン発生部カバー８５の係合部を見えなくすることができる。その結果、装飾ケース２０部分の外観性を良好にして商品価値をより一層高めることができるようになる。
【００５３】
また、透明または半透明の光透過部を交換可能（着脱可能）な装飾ケース２０とすることで、絵柄や図柄などの模様が施された装飾ケース２０を複数用意し、それらの装飾ケース２０を交換することで様々なバリエーションのヘアドライヤー（髪ケア装置）１を得ることができる。
【００５４】
次に、本実施形態にかかるヘアドライヤー（髪ケア装置）１の変形例を説明する。
【００５５】
（第１変形例）
図１６および図１７は、第１実施形態の第１変形例を示しており、本変形例では、合成樹脂材料で形成された装飾ケース２０およびイオン発生部カバー８５を一体成形している。このとき、装飾ケース２０とイオン発生部カバー８５との境界面に、光反射面としての装飾部２１が形成されることとなる。
【００５６】
以上の本変形例によっても、上記第１実施形態と同様の作用、効果を奏することができる。
【００５７】
また、本変形例によれば、装飾ケース２０とイオン発生部カバー８５とを合成樹脂材料によって一体成形しているため、部品点数を削減できる。さらに、組み付け時には装飾ケース２０のみをハウジング３側に係合させればよいので、組付作業性の向上を図ることができ、より低コストのヘアドライヤー（髪ケア装置）１を得ることができる。
【００５８】
（第２変形例）
図１８から図２０は、第１実施形態の第２変形例を示しており、装飾ケース２０の外側が透明または半透明の第２の装飾ケース（第２の光透過部）３０で覆われた場合を示している。
【００５９】
第２の装飾ケース３０は、装飾ケース２０の外形状にほぼ沿って形成されるとともに、装飾ケース２０よりも若干小さく形成されている。そして、第２の装飾ケース３０は装飾ケース２０の外側に一体に接合されている。この第２の装飾ケース３０には内側の装飾ケース２０を透過できる任意の装飾が施されている。
【００６０】
以上の本変形例によっても、上記第１実施形態と同様の作用、効果を奏することができる。
【００６１】
また、本変形例によれば、装飾ケース（光透過部）２０の外側が透明または半透明の第２の装飾ケース（第２の光透過部）３０で覆われているため、第２の装飾ケース３０の装飾が装飾ケース２０を透過して影となって裏面の装飾部２１に映し出される。これにより装飾ケース２０の光の陰影と相俟ってさらにデザイン性に優れたヘアドライヤー（髪ケア装置）１を得ることができる。
【００６２】
（第２実施形態）
本実施形態では髪ケア装置としてブラシ付きヘアドライヤー１Ａを例示する。なお、図２１および図２２は、ヘアドライヤー１Ａのブラシ部分を取外した本体部分１００のみを示しており、図２２中、Ｆｒは前方、Ｕｐは上方を示している。
【００６３】
本実施形態にかかるヘアドライヤー１Ａは、図２１および図２２に示すように、基本的に上記第１実施形態のヘアドライヤー１と同様の構成をしているが、グリップ部５が存在せず本体部分１００を直接把持して用いられるものである。
【００６４】
本体部分１００は、送風部６を備える風洞部２をハウジング３内部に有している。そして、風洞部２の後端部に設けられた空気吸込口２ａには、図２３に示すように保護枠本体１０とメッシュ状フィルタ１１と保護枠副体１２とが取り付けられている。なお、これら保護枠本体１０、メッシュ状フィルタ１１および保護枠副体１２は、本実施形態にかかる空気吸込口２ａの形状に合わせた形状となっている。
【００６５】
また、本実施形態では、電源に繋ぐコードＣが保護枠本体１０、メッシュ状フィルタ１１、保護枠副体１２の中心部を貫通してハウジング３内に接続されている。また、図２２に示すように、送風部６の下流側にはヒータ装置Ｈが設けられており、オン・オフや風量および温風温度を制御するスイッチＳＷが本体部分１００の側面に設けられている。
【００６６】
そして、本実施形態では風洞部２の前端部に空気吹出口２ｂが設けられており、この空気吹出口２ｂが図示せぬブラシを着脱自在に嵌着する取付孔となっている。
【００６７】
また、本実施形態にあっても上記第１実施形態と同様に、風洞部２の上部にイオン発生部８が設けられ、このイオン発生部８を覆う部分が装飾ケース（光透過部）２０Ａで構成されている。この装飾ケース２０Ａの裏面には、上記第１実施形態と同様に、肉厚を変化させることでダイヤモンドカット状に形成された装飾部２１が設けられ、その装飾部２１にメタリック調の塗装などが施されている。
【００６８】
かかる構成のブラシ付きヘアドライヤー１Ａを使用する際には、空気吹出口２ｂに図示せぬブラシを装着してスイッチＳＷをＯＮすることで、空気吹出口２ｂから冷風や温風などの風が吹き出される。そして、吹き出された風がブラシの内部を通過してブラシの形成面から吹き出し、ブラシで毛髪を梳かしつつ風を当てることができるようになっている。さらに、イオン発生部８から毛髪に向かってマイナスイオンを放出させることで、毛髪にツヤやしっとり感を与えるとともに、毛髪のクセ取りを効果的に行うことができるようになっている。
【００６９】
以上の本実施形態によっても、上記第１実施形態と同様の作用、効果を奏することができる。
【００７０】
なお、本実施形態においても、上記第１実施形態で例示した変形例を適用することが可能である。
【００７１】
以上、本発明の好適な実施形態について説明したが、本発明は上記実施形態には限定されず、種々の変形が可能である。
【００７２】
たとえば、上記各実施形態および変形例では、光透過部をイオン発生部を覆う部分に設けたものを例示したが、これに限らず、イオン発生部以外の箇所に設けてもよいし、ハウジング全体に光透過部を設けてもよい。
【００７３】
また、上記各実施形態および変形例では、複数の面の集合体として、ダイヤモンドカット状の多面体を例示したが、これに限らず、例えば、複数の曲面を組み合わせたり、曲面と平面を組み合わせたりすることで、複数の面の集合体を形成してもよい。このとき、それぞれの面との境界部分が直線状となるようにしてもよいし曲線状となるようにしてもよい。
【００７４】
また、イオン発生部が設けられない髪ケア装置に本発明を適用することも可能である。
【００７５】
また、ハウジングや光透過部その他細部のスペック（形状、大きさ、レイアウト等）も適宜に変更可能である。
【符号の説明】
【００７６】
１  ヘアドライヤー（髪ケア装置）
１Ａ  ブラシ付きヘアドライヤー（髪ケア装置）
２  風洞部
２ａ  空気吸込口
２ｂ  空気吹出口
３  ハウジング
６  送風部
８  イオン発生部
８５  イオン発生部カバー
２０  装飾ケース（光透過部）
２１  装飾部
３０  第２の装飾ケース（光透過部）
【図１】
2012010864.tif 000003
【図２】
2012010864.tif 000004
【図３】
2012010864.tif 000005
【図４】
2012010864.tif 000006
【図５】
2012010864.tif 000007
【図６】
2012010864.tif 000008
【図７】
2012010864.tif 000009
【図８】
2012010864.tif 000010
【図９】
2012010864.tif 000011
【図１０】
2012010864.tif 000012
【図１１】
2012010864.tif 000013
【図１２】
2012010864.tif 000014
【図１３】
2012010864.tif 000015
【図１４】
2012010864.tif 000016
【図１５】
2012010864.tif 000017
【図１６】
2012010864.tif 000018
【図１７】
2012010864.tif 000019
【図１８】
2012010864.tif 000020
【図１９】
2012010864.tif 000021
【図２０】
2012010864.tif 000022
【図２１】
2012010864.tif 000023
【図２２】
2012010864.tif 000024
【図２３】
2012010864.tif 000025